(57)【要約】 【課題】  操作ハンドルの出っ張りを少なくし、デザイン性の向上を図ること。【解決手段】  扉の壁面に錠箱用収納部と連通する座用嵌合孔を形成し、この嵌合孔にハンドル取付け用開口部を有する取付け座を嵌合し、該取付け座には、前記ハンドル取付け用開口部内に突出軸部が入り込んだハンドルと、錠箱内の作動片を動かす駆動アーム部を有するラッチレバーとが垂直軸を介して軸支され、前記取付け座は固定手段を介して扉の壁面に固定されていることを特徴とする錠におけるハンドルの取付け構造。【選択図】  図１
2005299166.tif 000002
【特許請求の範囲】
【請求項１】
扉の壁面に錠箱用収納部と連通する座用嵌合孔を形成し、この嵌合孔にハンドル取付け用開口部を有する取付け座を嵌合し、該取付け座には、前記ハンドル取付け用開口部内に突出軸部が入り込んだハンドルと、錠箱内の作動片を動かす駆動アーム部を有するラッチレバーとが垂直軸を介して軸支され、前記取付け座は固定手段を介して扉の壁面に固定されていることを特徴とする錠におけるハンドルの取付け構造。
【請求項２】
請求項１に於いて、取付け座１０は、壁面１ｂにぴったりと当接する鍔部２１ａを有する前壁２１と、この前壁２１に連設しかつ座用嵌合孔１５に嵌合する嵌合部２２とを有する取付け座本体１７と、該取付け座本体１７に一体的に結合する垂直軸用の軸受け板１８とを有することを特徴とする錠におけるハンドルの取付け構造。
【請求項３】
請求項１又は請求項２に於いて、一方の取付け座１０の取付け座本体１７は棒状連結部２３を有し、他方の取付け座９側の固定手段５０が前記棒状連結部２３に螺合することにより、前記一方の取付け座１０の鍔部２１ａが壁面にぴったりと当接することを特徴とする錠におけるハンドルの取付け構造。
【請求項４】
請求項１乃至請求項３のいずれかに於いて、ハンドルの突出軸部３１は、ハンドルバネ用の空間部分３３を有し、この空間部分３３にハンドルバネ３２が垂直軸４２を介して設けられていることを特徴とする錠におけるハンドルの取付け構造。
【請求項５】
請求項１に於いて、外側ハンドル５Ａは、金属製のハンドル本体５１と、該ハンドル本体５１の内側に固着手段５２を介して固定された合成樹脂製の補助ハンドル５３とから成ることを特徴とする錠におけるハンドルの取付け構造。
【請求項６】
扉の壁面に錠箱用収納部と連通する座用嵌合孔を形成し、この嵌合孔にハンドル取付け用開口部を有する取付け座を嵌合し、該取付け座には、前記ハンドル取付け用開口部内に突出軸部が入り込んだハンドルと、錠箱内の作動片を動かす駆動アーム部を有するラッチレバーとが垂直軸を介して軸支され、前記取付け座は固定手段を介して扉の壁面に固定され、さらに、前記取付け座にハンドルを一部又は全部をカバーするカバー体を設けたことを特徴とする錠におけるハンドルの取付け構造。
【請求項７】
請求項６に於いて、カバー体５５は、ハンドルの上端部乃至下端部を包む大きさに形成され、カバー体５５の内壁面５５ａとハンドルの外壁面５１ａとの間に所要の空間５６が設けられていることを特徴とする錠におけるハンドルの取付け構造。
【発明の詳細な説明】
【技術分野】
【０００１】
本発明は、錠におけるハンドルの取付け構造に関し、特にハンドルをプルしたり、プッシュしたりするタイプの錠（例えばプッシュ・プル錠及びこれに類似する錠）に適合する錠におけるハンドルの取付け構造に関する。
【背景技術】
【０００２】
特許文献１には、「ラッチ錠の操作ハンドル」が開示されている。この操作ハンドルは扉に取付けられ、該操作ハンドルを操作（プッシュ・プル）すると、その操作力により、錠箱内のラッチ用作動杆が移動してラッチを開錠する。
【０００３】
この特許文献１の操作ハンドルのように、普通一般に当業者の間で「プッシュ・プル錠」と称される錠の類は、操作ハンドルをプル（引く）又はプッシュ（押す）と、扉を開くことができる。
【０００４】
ところで、特許文献１、特許文献２などの錠（例えばプッシュ・プル錠）は、普通一般に扉の壁面に取付けられる操作ハンドル用取付け座が必要であるが、この取付け座の取付け端面は、壁面に面接触状態に取り付けられ、かつ、取付け座の構造そのものも、中心軸孔を有する円盤、キャップ形態など比較的にシンプルな構造で、ハンドルの取付け構造に関しては、何らの工夫が施されていない。
【０００５】
しかし、近年、デザイン的要素を加味した錠におけるハンドルの取付け構造の新規な工夫が要望されている。その主な一つに、「操作ハンドルの出っ張りを少なくし、デザイン性の向上を図ること」である。その他の要望としては、「操作ハンドルが扉の正面視から見えないこと」である。  
【特許文献１】特開平１１−２９３９７０
【特許文献２】特開２００２−７０３８６号
【発明の開示】
【発明が解決しようとする課題】
【０００６】
本発明の第１の目的は、操作ハンドルの出っ張りを少なくし、デザイン性の向上を図ること。第２の目的は、操作ハンドルが扉の正面視から見えないことである。その他実施例によっては、操作ハンドルを握った際に手触り感が良いという目的が存在している。
【課題を解決するための手段】
【０００７】
本発明の錠におけるハンドルの取付け構造は、扉１の壁面に錠箱３用収納部１６と連通する座用嵌合孔１５を形成し、この嵌合孔１５にハンドル取付け用開口部２０を有する取付け座１０を嵌合し、該取付け座１０には、前記ハンドル取付け用開口部２０内に突出軸部３１が入り込んだハンドル５と、錠箱３内の作動片７を動かす駆動アーム部４４を有するラッチレバー４１とが垂直軸４２を介して軸支され、前記取付け座１０は固定手段５０を介して扉１の壁面に固定されていることを特徴とする。
【０００８】
また、本発明の錠におけるハンドルの取付け構造は、扉１の壁面に錠箱３用収納部１６と連通する座用嵌合孔１５を形成し、この嵌合孔１５にハンドル取付け用開口部２０を有する取付け座１０を嵌合し、該取付け座１０には、前記ハンドル取付け用開口部２０内に突出軸部３１が入り込んだハンドル５と、錠箱３内の作動片７を動かす駆動アーム部４４を有するラッチレバー４１とが垂直軸４２を介して軸支され、前記取付け座１０は固定手段５０を介して扉１の壁面に固定され、さらに、前記取付け座にハンドルを一部又は全部をカバーするカバー体５５を設けたことを特徴とする。
【発明の効果】
【０００９】
（１）請求項１に記載の発明は、操作ハンドルの出っ張りを少なくし、デザイン性の向上を図ることができる。
（２）請求項６に記載の発明は、扉の正面視を基準にすると、操作ハンドルはカバー体に隠れて見えないから、操作ハンドルの外観形状のデザイン上の自由度が増し、また、取付け座の形態や操作ハンドルの突起軸取付け用の開口部を、その大きさも含めて自由に形成することができる。
【発明を実施するための最良の形態】
【００１０】
以下、図１乃至図８は、本発明の第１実施例である。この第１実施例を参照にして本発明の基本的な構成を説明する。
【００１１】
（１）発明の実施の環境
図１、図２は発明の実施の環境を示す概略説明図である。図１に於いて、１は扉、２は戸枠、３は錠箱、４は内側ハンドル、５は外側ハンドルである。扉１は建物の扉や門扉である。戸枠２には受け金具６が設けられている。錠箱３は、後述するラッチレバー４１の駆動アーム部４４の揺動（当り、係合、押圧など）により作動する複数又は複数の作動片７、該作動片７に連動する図示しないラッチ機構、前記受け金具６に係脱するラッチ８を備えている。
【００１２】
内側ハンドル４は扉１の内壁面１ａに固定される内側取付け座９に軸支され、一方、外側ハンドル５は扉１の外壁面１ｂに固定される外側取付け座１０に軸支されている。
【００１３】
本発明では、錠におけるハンドル取付け構造に特徴があるので、外側ハンドル５を一例にして説明する。ハンドル取付け構造は、外側ハンドル５の上下の突出軸部３１．３１に対してそれぞれ設けられているが、取付け構造が同一なので、便宜上、他方（外側ハンドル５の下方）の構造は割愛する。なお、図１に於いて、外側ハンドル５は、プル（引く）の時に扉１を屋外１１側に開くことができるが、これは説明の便宜上の話なので、外側ハンドル５は、もちろん、プッシュ・プルであっても良い。以下、本発明の特定要件についてのポイントを順次説明するが、細部的な事項は図面及びその説明を割愛する。
【００１４】
（２）扉１
図１、図２及び図３で示すように、扉１の外壁面１ｂには、外側取付け座１０を嵌着するための座用嵌合孔１５が形成されている。嵌合孔１５は、外側取付け座１０の形状に適合するように矩形状に形成されている。外側取付け座１０の形状が円形であれば、該嵌合孔１５も円形に形成される。ハンドルの一例としての外側ハンドル５は、普通一般に片手で握ることができるように縦長状に形成されているので、縦長形態の場合には、望ましくは嵌合孔１５の幅を小さめに形成する。嵌合孔１５は、扉１の自由端部に形成した錠箱用収納部１６に連通している。なお、外側ハンドル５の形態は、特に問わない。
【００１５】
図１、図２では、本発明のハンドル取付け構造Ｘと、従来のハンドル取付け構造Ｙとの違いが一目で判るように便宜上図示している。すなわち、ハンドル取付け構造Ｘを示した外側取付け座１０は、鍔部２１ａを有する薄肉状前壁２１を除き、その大部分２２が扉１の外壁面１ｂの嵌合孔１５に入り込んでいるのに対し、ハンドル取付け構造Ｙの内側取付け座９は、その端面９ａが扉１の内壁面１ａに当接している。
【００１６】
したがって、外側ハンドル５の扉１の外壁面１ｂからの突出量と、内側ハンドル４の扉１の内壁面１ａからのそれとを比較すると、外側ハンドル５の方が非常に少ない。換言すれば、内側ハンドル４の取付け座９は、内壁面１ａから著しく突出している。また、内側ハンドル４も普通の一般的な形態である。
【００１７】
（３）外側取付け座１０
図３及び図４は、ハンドル取付け用開口部２０を有する外側取付け座１０の一例を示す。本実施例の外側取付け座１０は「ニ物品」で構成されている。すなわち、外側取付け座１０は、座用嵌合孔１５に嵌合する取付け座本体１７と、該取付け座本体１７に複数個の固着具１９を介して一体的に結合する軸受け板１８とから成る。図４は、取付け座本体１７と軸受け板１８とが分離した状態と、両者１７．１８が結合した状態とをそれぞれ示している。
【００１８】
（４）取付け座本体１７
図３を基準にすると、取付け座本体１７は、正面視コ字型状に形成されている。しかして、２０はハンドル取付け用開口部（本実施例では軸受け板１８用切欠部）、２１は周端部の全部又は一部に鍔部２１ａを有する薄肉状前壁、２２は薄肉状前壁２１の裏面から突出するやや肉厚状嵌合部、２３は肉厚状嵌合部２２に水平方向に突出する複数本の棒状連結部（例えばメネジ長筒）、２４は肉厚状嵌合部に形成された複数個の固着具１９用のメネジ部である。
【００１９】
（５）軸受け板１８
軸受け板１８は、取付け座本体１７の肉厚状嵌合部２２に添設状態に固定されるＨ型状の垂直板部２５と、この垂直板部２５の中央部の上下端部を前方側に折曲することにより形成された上下一対の軸受け部２６．２６とから成る。しかして、前記垂直板部２５の左右上下の部位には、固着具１９用の貫通孔２７が形成され、一方、前記軸受け部２６．２６には、軸孔２８と、案内長孔２９がそれぞれ形成されている。上下の軸受け部２６．２６は、図２で示すように、取付け座本体１７の軸受け板１８ないしハンドル用開口部２０内に入り込む。また、上下の軸受け部２６．２６の空間部分３０には、外側ハンドル５の突出軸部３１が入り込む。
【００２０】
（６）外側ハンドル５
外側ハンドル５は、本実施例では、やや弓状の縦長形態であり、内側の上下端部に突出軸部３１．３１がそれぞれ形成されている。突出軸部３１の突出量は、外側ハンドル５の回転量（プルする量）を考慮して適宜に設定されている。望ましくは、外側ハンドル５が扉１の外壁面１ｂから極力突出しないように配慮されている。
【００２１】
しかして、本実施例の突出軸部３１は、上下一対の対向壁部（符号省略）を有し、これらの対向壁部の間には、ハンドルバネ３２用の空間部分３３が設けられている。また突出軸部３１の対向壁部には、前述した軸受け板１８の軸孔と符合する軸孔３４と、軸受け板１８の案内長孔２９と符合する貫通孔３５とがそれぞれ形成されている。
【００２２】
（７）ラッチレバー
ラッチレバー４１は、本実施例では、図６で示すように断面段差状に形成された駆動片である。ラッチレバー４１は、外側ハンドル５の突出軸部３１に一体的に取り付けられており、外側ハンドル５をプルすると、垂直軸４２を支点にして該外側ハンドル５と同じ方向へと所定量回転する。そのために、ラッチレバー４１は、突出軸部３１の一つ対向壁部（本実施例では上方の対向壁部）に重合状態に取り付けられる幅広取付け部４３と、該幅広取付け部４３から軸受け板１８を突き抜けるようにして錠箱３内の作動片７まで延伸する駆動アーム部４４とを有している。しかして、前記幅広取付け部４３には、垂直軸２４用の軸孔４５と、ガイドピン４６用の貫通孔４７がそれぞれ形成されている。
【００２３】
（８）各部材の組み合わせ
まず、外側取付け座１０の軸受け板１８に外側ハンドル５の突出軸部３１を枢着する。この場合突出軸部３１を軸受け板１８の空間部分３０に嵌め込む前に垂直軸４２にハンドルバネ３２を巻装しておく。前記空間部分３０に外側ハンドル５の突出軸部３１を嵌め込んだら、ラッチレバー４１の幅広取付け部４３を突出軸部３１の上方の対向壁部に重ねるようにして垂直軸４２を各部材４１．１８．５の軸孔４３．２８．３４に挿入する。
【００２４】
また、ガイドピン４６も各部材４１．１８．５の孔４７．２９．３５に挿入する。このように垂直軸４２を介してハンドルバネ３２及びラッチレバー４１を備えた外側ハンドル５は、外側取付け座１０に枢着される。この時ラッチレバー４１は、垂直軸４２とガイドピン４６により外側ハンドル５の突出軸部３１に一体的に固定されている。
【００２５】
次に軸受け板１８を取付け座本体１７の裏面に固着する。この場合に於いて、外側ハンドル５を枢着した軸受け板１８は、取付け座本体１７の切欠状開口部２０を介して該取付け座本体１７の裏面に添設状態にされ、かつ、固着具１９を介して固定される。これにより、図２で示すように軸受け板１８の上下の軸受け部２６．２６は、ラッチレバー４１の幅広取付け部４３と共に、取付け座本体１７の開口部２０内に収まる。したがって、取付け座本体１７の開口部２０内に外側ハンドル５の突出軸部３１が入り込んだ分だけ、外側ハンドル５の突出量が少なくなる。
【００２６】
上記構成に於いて、外側ハンドル５を備えた外側取付け座１０の棒状連結部２３．２３は、他方の内側取付け座９側の複数本（例えば２本）の固定手段（例えば螺杆）５０が螺合可能であるから、図２で示すように固定手段５０を締めると、外側取付け座１０は固定手段５０によって引っ張られ、その取付け座本体１７の薄肉状前壁２１の鍔部２１ａは、扉１の外壁面１ｂにぴったりと当接する。
【実施例】
【００２７】
この欄では、第１実施例の基本的構成に付加的要件を加味した実施例を説明する。説明の便宜上、構成要件を限定した実施例を、第２実施例、第３実施例とし、同一の部分には同一の符号を付し、重複する説明を割愛する。
【００２８】
図９に示す第２実施例に於いて、第１実施例と主に異なる点は、外側ハンドル５Ａを金属製のハンドル本体５１と、該ハンドル本体５１の内側に固着手段５２を介して固定された合成樹脂製の板状補助ハンドル５３とから成ることである。前記補助ハンドル５３の合成樹脂材は、例えば内装表皮材として利用されているミラストマーが用いられている。したがって、ハンドル本体５１は二重構造であり、強靭であると共に、操作ハンドルを握った際に手触り感が良いという効果がある。
【００２９】
図１０乃至図１２に示す第３実施例に於いて、第１実施例と主に異なる点は、取付け座１０Ａに直接又は間接的に外側ハンドル５Ａ（便宜上、第２実施例の符号を援用する）を一部又は全部をカバーするカバー体５５を設けたことである。
【００３０】
カバー体５５が取付け座１０Ａの一部に直接的に取り付けた場合には、該カバー体５５は取付け座１０Ａの一部を構成するので、「取付け座１０Ａのハンドルカバー部」の用語が相応しい。一方、カバー体５５が扉の壁面に固定された場合には、「ハンドル用カバー体」の用語が相応しい。ここでは、両者の実施例を含む意味で「カバー体」の用語を使用する。
【００３１】
しかして、第３実施例のカバー体５５は、図１０で示すように、外側ハンドル５Ａの上端部乃至下端部を包む大きさ或いは長さに形成され、図１２で示すようにカバー体５５の内壁面５５ａと外側ハンドル５Ａのハンドル本体５１の外壁面５１ａとの間に所要の空間（ハンドルのプルが可能な間隙）５６が設けられている。
【００３２】
カバー体５５の形態は、図１０を参照にすると、上下端部が幅広で、例えばナイフの先端部のような形状をしているが、該端部の形状は任意に設計変更（半円形状、矩形形状、円形、ハート形など）可能である。カバー体５５の上下端部を中央部よりも幅広にすると、取付け面積が増えるから、幅広で、かつ、長いのが望ましい。また、カバー体５５の中央部が内側に弧状の曲率を有するのは、外側ハンドル５Ａの形態に合わせたもので、デザイン的なものである。なお、外側ハンドル５Ａの端部の形状は、カバー体５５の内側端部の切欠形状に左右される。
【００３３】
上記構成に於いて、取付け座１０Ａを大きく形成しても切欠部、開口部、部材の一部等が外部から見えないという利点がある。また、所要の空間５６を有する場合には外側ハンドル５Ａを少なくとも「プル」することができる。
【００３４】
さらに、第３実施例のカバー体５５は、材質自体で弾性変位及び弾性復帰する機能を有するので、カバー体５５を介してプッシュすることも可能である。
【産業上の利用可能性】
【００３５】
本発明は、主に建具、錠前の業界で利用される。
【図面の簡単な説明】
【００３６】
図１乃至図８は本発明の第１実施例を示す各説明図。図９は本発明の第２実施例を示す説明図、図１０乃至図１２は本発明の第３実施例を示す各説明図。
【図１】第１実施例の実施の環境を上から見た一部概略断面説明図（扉の閉戸時）。
【図２】実施の環境を図１の符号Ａの方向から見た一部概略断面説明図。
【図３】要部（主に取付け座）の分解斜視図。
【図４】要部を結合した場合の説明図。
【図５】要部（ハンドルの突起軸部、ラッチレバーなど）の説明図。
【図６】要部（ハンドル、ラッチレバーなど）の説明図。
【図７】主要部の概略断面説明図。
【図８】第１実施例の実施の環境を上から見た一部概略断面説明図（扉の開戸時）。
【図９】本発明の第２実施例を示す説明図。
【図１０】本発明の第３実施例の実施の環境を示す斜視図。
【図１１】主要部の概略断面説明図。
【図１２】図１１の１２−１２線に基づく主要部の概略断面説明図。
【符号の説明】
【００３７】
Ｘ…ハンドル取付け構造、1…扉、１ａ．１ｂ…壁面、２…戸枠、３…錠箱、４．５．５Ａ…ハンドル、６…受け金具、７…作動片、８…ラッチ、９．１０…取付け座、１１…屋外、１５…座用嵌合孔、１６…錠箱用収納部、１７…取付け座本体、１８…軸受け板、１９…固着具、２０…ハンドル取付け用開口部、２１…前壁、２１ａ…鍔部、２２…嵌合部、２３…棒状連結部、２４…メネジ部、２５…垂直板部、２６…軸受け部、３１…ハンドルの突出軸部、３２…ハンドルバネ、３３…ハンドルバネ用空間部分、４１…ラッチレバー、４２…垂直軸、４４…駆動アーム部、４５、５０…固定手段、５１…ハンドル本体、５２…固着手段、５３…補助ハンドル、５５…カバー体、５６…所要の空間。
【図１】
2005299166.tif 000003
【図２】
2005299166.tif 000004
【図３】
2005299166.tif 000005
【図４】
2005299166.tif 000006
【図５】
2005299166.tif 000007
【図６】
2005299166.tif 000008
【図７】
2005299166.tif 000009
【図８】
2005299166.tif 000010
【図９】
2005299166.tif 000011
【図１０】
2005299166.tif 000012
【図１１】
2005299166.tif 000013
【図１２】
2005299166.tif 000014